(57)【要約】【課題】ハンドオーバー方法及びシステム、隣接セルブロードキャストメッセージの取得方法を提供すること。【解決手段】該方法は、サービング高度基地局の第１領域において作業する高度端末の場合、高度端末がサービング高度基地局から送信される該サービング高度基地局の第２領域の隣接セルブロードキャストメッセージのコンテンツを取得し、高度端末が取得した隣接セルブロードキャストメッセージのコンテンツに基づいて隣接セルの高度基地局の第２領域又は隣接セルの既存基地局にハンドオーバーするステップを含む。本発明によると、高度端末の、現在のサービング高度基地局の第１領域から隣接セルの既存基地局又は隣接セルの高度基地局の第２領域へのハンドオーバーを実現することができる。【選択図】図１
2013502112.tif 000002
【特許請求の範囲】
【請求項１】
サービング高度基地局の第１領域にて作業する高度端末の場合、
前記高度端末が、前記サービング高度基地局から送信される前記サービング高度基地局の第２領域の隣接セルブロードキャストメッセージのコンテンツを取得し、
前記高度端末が、取得した前記隣接セルブロードキャストメッセージのコンテンツに基づいて隣接セルの高度基地局の第２領域又は隣接セルの既存基地局にハンドオーバーするステップを含むことを特徴とするハンドオーバー方法。
【請求項２】
前記高度端末が前記隣接セルブロードキャストメッセージのコンテンツを取得するステップが、
前記サービング高度基地局が、その第１領域において前記高度端末に指示情報を送信し、前記高度端末に前記サービング高度基地局の第２領域において前記隣接セルブロードキャストメッセージを受信するように指示し、
前記高度端末が、前記指示情報を受信し、前記サービング高度基地局の第２領域において前記隣接セルブロードキャストメッセージを受信し、前記隣接セルブロードキャストメッセージのコンテンツを取得するステップを含むことを特徴とする請求項１に記載の方法。
【請求項３】
前記サービング高度基地局が、レンジング応答メッセージ、第１領域の隣接セルブロードキャストメッセージ、第１領域のスーパーフレームヘッダー、システム配置説明メッセージ、付加的なブロードキャストメッセージの中の一つを介し、前記高度端末に前記指示情報を送信することを特徴とする請求項２に記載の方法。
【請求項４】
前記指示情報が、前記サービング高度基地局の第１領域と第２領域間の時間オフセット量、前記第２領域のキャリア情報、前記第２領域のブリアンブルシーケンス情報の中の少なくとも一つを含むことを特徴とする請求項２に記載の方法。
【請求項５】
前記高度端末がマルチルートの端末であると、前記指示情報が、前記高度端末が前記第２領域において隣接セルブロードキャストメッセージを受信するに用いられるルートのキャリア情報を更に含み、
前記キャリア情報は、物理層周波数ポイント情報、物理層キャリア番号、ロジックキャリア番号の中の一つを含むことを特徴とする請求項４に記載の方法。
【請求項６】
前記高度端末が前記隣接セルブロードキャストメッセージを取得するステップが、
前記サービング高度基地局が前記第１領域において前記サービング高度基地局の第２領域の隣接セルブロードキャストメッセージのコンテンツを送信し、
前記高度端末が前記隣接セルブロードキャストメッセージのコンテンツを受信するステップを含むことを特徴とする請求項１に記載の方法。
【請求項７】
前記サービング高度基地局が前記第１領域において前記第２領域の隣接セルブロードキャストメッセージのコンテンツを送信する方式がブロードキャスト方式又はユニキャスト方式を含むことを特徴とする請求項６に記載の方法。
【請求項８】
前記サービング高度基地局がブロードキャスト方式で前記第２領域の隣接セルブロードキャストメッセージのコンテンツを送信する場合、前記サービング高度基地局は、
前記サービング高度基地局がその第１領域の隣接セルブロードキャストメッセージに前記第２領域の隣接セルブロードキャストメッセージのコンテンツを携帯し、又は、
前記サービング高度基地局がその第１領域のスーパーフレームヘッダーに前記第２領域の隣接セルブロードキャストメッセージのコンテンツを携帯し、又は、
前記サービング高度基地局がシステム配置説明メッセージに前記第２領域の隣接セルブロードキャストメッセージのコンテンツを携帯し、又は、
前記サービング高度基地局が付加的なブロードキャストメッセージに前記第２領域の隣接セルブロードキャストメッセージのコンテンツを携帯する方式の中の一つを介して前記第２領域の隣接セルブロードキャストメッセージのコンテンツを送信することを特徴とする請求項７に記載の方法。
【請求項９】
前記サービング高度基地局がその第１領域のスーパーフレームヘッダーに前記第２領域の隣接セルブロードキャストメッセージのコンテンツを携帯すると、前記第２領域の隣接セルブロードキャストメッセージのコンテンツは、単独のスーパーフレームヘッダー情報エレメントサブパケットとして送信され、又は前記第２領域の隣接セルブロードキャストメッセージのコンテンツは、その他のサブパケットと共同にサブパケットを形成し、送信することを特徴とする請求項８に記載の方法。
【請求項１０】
前記サービング高度基地局の前記第２領域の隣接セルブロードキャストメッセージに携帯されるパラメータが
隣接セルの既存基地局のシステム情報及び／又は隣接セルの高度基地局の第２領域のシステム情報を含み、
前記システム情報がキャリア周波数情報、ブリアンブルシーケンス情報を含むことを特徴とする請求項２乃至９の中のいずれかに記載の方法。
【請求項１１】
前記高度端末が隣接セルの高度基地局の第２領域又は隣接セルの既存基地局にハンドオーバーするステップが
前記サービング高度基地局からその第１領域において前記高度端末にハンドオーバー命令メッセージが送信され、前記高度端末に隣接セルの高度基地局の第２領域又は隣接セルの既存基地局にハンドオーバーするように指示するステップ及び／又は
前記高度端末が前記ハンドオーバー命令メッセージを受信した後、前記サービング高度基地局にハンドオーバー指示メッセージを送信し、隣接セルの高度基地局の第２領域又は隣接セルの既存基地局へのハンドオーバーを開始するステップを含むことを特徴とする請求項２乃至９の中のいずれかに記載の方法。
【請求項１２】
前記ハンドオーバー命令メッセージに携帯される情報が、
前記サービング高度基地局が前記高度端末に推薦したターゲット既存基地局の情報と、
前記サービング高度基地局が前記高度端末に推薦したターゲット高度基地局の第２領域の情報と、
ネットワーク再接続中において前記高度端末が前記サービング高度基地局との接続を維持するか否かを指示する再接続モードマークと、
前記高度端末がターゲット高度基地局又はターゲット既存基地局においてネットワーク再接続を開始する具体的な時刻を指示する推薦されたターゲット高度基地局又はターゲット既存基地局における動作時間と、
前記ハンドオーバー命令メッセージで前記高度端末に推薦したターゲット基地局のタイプを指示するハンドオーバータイプマークの中の少なくとも一つを含むことを特徴とする請求項１１に記載の方法。
【請求項１３】
ハンドオーバー命令メッセージに前記ハンドオーバータイプマークを携帯していると、前記高度端末は、該ハンドオーバータイプマークに基づいて、前記サービング高度基地局からハンドオーバー命令メッセージで推薦したターゲット基地局のタイプを区別することを特徴とする請求項１２に記載の方法。
【請求項１４】
前記サービング高度基地局が前記ハンドオーバー命令メッセージを送信する前、
前記サービング高度基地局が、前記高度端末からの要請メッセージを受信するステップを更に含むことを特徴とする請求項１１に記載の方法。
【請求項１５】
前記要請メッセージに携帯したパラメータが、前記高度端末がハンドオーバーしようとするターゲット既存基地局の情報、前記高度端末がハンドオーバーしようとするターゲット高度基地局の第２領域の情報の中の少なくとも一つを含むことを特徴とする請求項１４に記載の方法。
【請求項１６】
前記ハンドオーバー指示メッセージに携帯される情報が、前記高度端末がハンドオーバーを開始する動作コード、ハンドオーバーしようとするターゲット既存基地局の情報又はターゲット高度基地局の第２領域の情報の中の少なくとも一つを含むことを特徴とする請求項１１に記載の方法。
【請求項１７】
前記高度端末がマルチルートの端末であると、前記ハンドオーバー指示メッセージに携帯される情報は、前記高度端末がハンドオーバーを行うルートのキャリア情報を更に含み、
前記キャリア情報が、物理層周波数ポイント情報、物理層キャリア番号、ロジックキャリア番号の中の一つを含むことを特徴とする請求項１６に記載の方法。
【請求項１８】
前記高度端末がターゲット高度基地局の第２領域にハンドオーバーされ、且つ前記ターゲット高度基地局の第２領域と前記サービング高度基地局の第１領域が異なるキャリアに位置すると、前記高度端末が隣接セルの高度基地局の第２領域又は隣接セルの既存基地局にハンドオーバーするステップが、
前記高度端末が、前記サービング高度基地局の第１領域が位置されるキャリアからターゲット高度基地局の第２領域が位置されるターゲットキャリアにハンドオーバーされ、
前記高度端末が、前記ターゲット高度基地局の前記ターゲットキャリアの第１領域から前記ターゲット高度基地局の前記ターゲットキャリアの第２領域にハンドオーバーするステップを含むことを特徴とする請求項２乃至９の中のいずれかに記載の方法。
【請求項１９】
前記高度端末が前記サービング高度基地局の第１領域が位置されるキャリアから隣接セルの高度基地局の第２領域が位置されるターゲットキャリアにハンドオーバーされるステップが、
サービング高度基地局がその第１領域においてハンドオーバー命令メッセージを送信し、前記高度端末に隣接セルの高度基地局にハンドオーバーするように指示するステップ及び／又は、
前記高度端末が前記ハンドオーバー命令メッセージを受信した後、前記サービング高度基地局にハンドオーバー指示メッセージを送信し、ターゲット高度基地局の前記ターゲットキャリアにハンドオーバーするステップを含むことを特徴とする請求項１８に記載の方法。
【請求項２０】
前記サービング高度基地局が前記ハンドオーバー命令メッセージを送信する前に、
前記サービング高度基地局が前記高度端末からの要請メッセージを受信するステップを更に含むことを特徴とする請求項１９に記載の方法。
【請求項２１】
前記ハンドオーバー指示メッセージに携帯される情報が、少なくとも、前記高度端末がハンドオーバーを開始する動作コード、ハンドオーバーしようとするターゲット高度基地局の情報、及びターゲット高度基地局におけるターゲットキャリア情報の中の一つを含むことを特徴とする請求項１９に記載の方法。
【請求項２２】
前記高度端末がマルチルートの端末であると、前記ハンドオーバー指示メッセージに携帯される情報は、前記高度端末がハンドオーバーを行うルートのキャリア情報を更に含み、
前記キャリア情報は物理層周波数ポイント情報、物理層キャリア番号、ロジックキャリア番号の中の一つを含むことを特徴とする請求項２１に記載の方法。
【請求項２３】
前記高度端末が前記ターゲット高度基地局の前記ターゲットキャリアの第１領域から前記隣接セルの高度基地局の第２領域にハンドオーバーするステップが、
前記ターゲット高度基地局が前記ターゲットキャリアの第１領域において前記高度端末にメッセージを送信し、前記高度端末に領域転換を行うように指示し、
前記高度端末が、前記メッセージを受信し、前記メッセージの指示に従って前記ターゲット高度の前記第１領域から前記ターゲット高度基地局の前記第２領域にハンドオーバーするステップを含むことを特徴とする請求項１８に記載の方法。
【請求項２４】
高度端末に高度基地局の第２領域において隣接セルブロードキャストメッセージを受信するように指示するための指示情報又は前記高度基地局の第２領域の隣接セルブロードキャストメッセージをその第１領域において前記高度端末に送信する高度基地局と、
前記高度基地局の第１領域にて作業し、前記高度基地局が送信した指示情報又は前記隣接セルブロードキャストメッセージを受信し、前記隣接セルブロードキャストメッセージのコンテンツを取得し、取得した前記隣接セルブロードキャストメッセージのコンテンツに基づいて隣接セルの高度基地局の第２領域又は隣接セルの既存基地局にハンドオーバーする前記高度端末と、を含むことを特徴とするハンドオーバーシステム。
【請求項２５】
サービング高度基地局の第１領域にて作業する高度端末の場合、
前記高度端末が前記サービング高度基地局により送信された前記サービング高度基地局の第２領域の隣接セルブロードキャストメッセージのコンテンツを取得するステップを含むことを特徴とする隣接セルブロードキャストメッセージの取得方法。
【請求項２６】
前記高度端末が前記隣接セルブロードキャストメッセージを取得するステップが、
前記サービング高度基地局が前記第１領域において前記サービング高度基地局の第２領域の隣接セルブロードキャストメッセージのコンテンツを送信し、
前記高度端末が前記隣接セルブロードキャストメッセージのコンテンツを受信するステップを含むことを特徴とする請求項２５に記載の方法。
【請求項２７】
前記サービング高度基地局が前記第１領域において前記第２領域の隣接セルブロードキャストメッセージのコンテンツを送信する方式がブロードキャスト方式又はユニキャスト方式を含むことを特徴とする請求項２６に記載の方法。
【請求項２８】
前記サービング高度基地局がブロードキャスト方式で前記第２領域の隣接セルブロードキャストメッセージのコンテンツを送信する場合、前記サービング高度基地局が、
前記サービング高度基地局がその第１領域の隣接セルブロードキャストメッセージに前記第２領域の隣接セルブロードキャストメッセージのコンテンツを携帯し、又は、
前記サービング高度基地局がその第１領域のスーパーフレームヘッダーに前記第２領域の隣接セルブロードキャストメッセージのコンテンツを携帯し、又は、
前記サービング高度基地局がシステム配置説明メッセージに前記第２領域の隣接セルブロードキャストメッセージのコンテンツを携帯し、又は、
前記サービング高度基地局が付加的なブロードキャストメッセージに前記第２領域の隣接セルブロードキャストメッセージのコンテンツを携帯する方式の中の一つを介し、前記第２領域の隣接セルブロードキャストメッセージのコンテンツを送信することを特徴とする請求項２７に記載の方法。
【請求項２９】
前記サービング高度基地局の前記第２領域の隣接セルブロードキャストメッセージに携帯されるパラメータが、隣接セルの既存基地局のシステム情報及び／又は隣接セルの高度基地局の第２領域のシステム情報を含み、
前記システム情報がキャリア周波数情報とブリアンブルシーケンス情報を含むことを特徴とする請求項２６乃至２８の中のいずれかに記載の方法。
【発明の詳細な説明】
【技術分野】
【０００１】
本発明は、移動通信技術分野に関し、具体的には、ハンドオーバー方法及びシステム、隣接セルブロードキャストメッセージの取得方法に関する。
【背景技術】
【０００２】
現在、無線通信システムは電磁波を用いて移動又は固定された無線通信端末（例えば、移動無線電話又は無線通信カードを実装したノートパソコンなどの機器を端末と称することができる）と通信を行う。通常、無線通信を行う場合、端末はシステムの無線カバー範囲内に位置し、無線通信チャネルを介してシステムと通信を行う。無線通信チャネルは、電磁波周波数を複数のキャリア周波数に分割し、その中、１キャリア周波数が１無線通信チャネルである。無線通信システムは、基地局（Ｂａｓｅ  Ｓｔａｔｉｏｎ、以下ＢＳと略称）を介して特定の無線チャネルを利用して一定の範囲内で無線カバーを提供し、該地理的な範囲がセル（Ｃｅｌｌ）と呼ばれる。通常、基地局は、セルの中央に位置される。端末が一つのセルから他のセルに移動する際、通信を維持するために、基地局のハンドオーバーを行わなければならない。
【０００３】
通信の高速発展に伴って、高度基地局（Ａｄｖａｎｃｅｄ  Ｂａｓｅ  Ｓｔａｔｉｏｎ、以下ＡＢＳと略称）が現れ、高度基地局は、既存端末と互換可能であって、同様に、高度端末（Ａｄｖａｎｃｅｄ  Ｍｏｂｉｌｅ  Ｓｔａｔｉｏｎ、以下ＡＭＳ）も既存基地局にアクセス可能である。高度基地局のタイムゾーン（Ｔｉｍｅ  Ｚｏｎｅ）は、第１領域（エムゾーンとも呼ばれる。以下ＭＺｏｎｅと略称）と第２領域（レガシーゾーンとも呼ばれる。Ｌｅｇａｃｙ  Ｚｏｎｅ、以下ＬＺｏｎｅと略称）の二つの領域に分けられる。高度端末は、第１領域にて作業し、既存端末は、第２領域にて作業することができる。高度端末が高度通信プロトコル又は既存プロトコルを利用することができるので、高度端末は、高度基地局の第１領域にて作業することができると共に、高度基地局の第２領域にて作業することもでき、第１領域と第２領域間の転換が必要となり、このようなハンドオーバーを領域転換（Ｚｏｎｅ  Ｓｗｉｔｃｈ）と称することができる。
【０００４】
ＷｉＭＡＸ技術を例にすると、高度制御局（例えば、ＩＥＥＥ８０２．１６ｍプロトコルを支援する基地局／中継局）は、既存移動局（例えば、ＩＥＥＥ８０２．１６ｅプロトコルを支援する移動局）と互換可能であってそれを支援し、同様に、高度移動局（例えば、ＩＥＥＥ８０２．１６ｍプロトコルを支援する移動局）も既存制御局（例えば、ＩＥＥＥ８０２．１６ｅを支援する基地局又はＩＥＥＥ８０２．１６ｊを支援する中継局）にアクセス可能である。第１領域は、ＩＥＥＥ８０２．１６ｍに定義された新しい通信プロトコルを支援し、第２領域は、ＩＥＥＥ８０２．１６ｅ／１６ｊのプロトコルを支援することができる。また、高度制御局が高度端末のみにアクセス可能である、即ち、ＩＥＥＥ８０２．１６ｍに定義された新しい通信プロトコル（第１領域のみが存在する）のみを支援することもできる。
【０００５】
無線通信システムのデータ伝送速度を向上するため、マルチキャリア技術を開示している。高度基地局は、マルチキャリア作業を支援することができる。マルチキャリア無線通信システムのプロトコルで、統一の媒体アクセス制御（Ｍｅｄｉａ  Ａｃｃｅｓｓ  Ｃｏｎｔｒｏｌ、以下ＭＡＣと略称）エンティティが複数のチャネル（チャネル１、チャネル２、…、チャネルＮ）を含む物理層（Ｐｈｙｓｉｃａｌ  ｌａｙｅｒ、以下ＰＨＹと略称）を制御する。その中、各チャネルは、夫々異なる帯域幅を有することができ、このような帯域幅は連続的又は非連続的な周波数帯域であることができる。
【０００６】
マルチキャリア作業を支援する無線通信システムにおいて、基地局の場合、キャリアを全配置キャリアと一部配置キャリアに分けることができる。その中、全配置キャリアは、全ての制御チャネルを配置したキャリアを指し、上記制御チャネルは、同期チャネルと、ブロードキャストチャネルと、マルチキャストチャネルと、ユニキャストチャネルとを含み、更に、マルチキャリア作業及び他のキャリアの情報及びパラメータに係るチャネルを含む。従って、端末のネットワークへのアクセスは、必ず全配置キャリアで行われる。端末の場合、ネットワークへのアクセスを行う全配置キャリアをメインキャリアと呼ぶ。一部配置キャリアは、マルチキャリア作業においてサービスのインタラクションを支援する基本的な制御チャネルのみを配置したキャリアを指す。全配置キャリアを端末のメインキャリア又はサブキャリアとすることができるが、一部配置キャリアは、端末のサブキャリアとすることしかできない。１セルにおいて、各端末は、メインキャリアを一つのみ具備し、一つ又は複数のサブキャリアを具備することもでき、サブキャリアを具備しないこともできる。
【０００７】
現在、マルチキャリア作業を支援する高度端末を単一ルート（ｓｉｎｇｌｅ  ｒａｄｉｏ）端末とマルチルート（ｍｕｌｔｉｐｌｅ  ｒａｄｉｏ）端末の２種類に分けることができる。１ルートは、物理層の１無線周波数ブロック（Ｒａｄｉｏ  Ｆｒｅｑｕｅｎｃｙ、以下ＲＦと略称）に対応し、１ルートは、システムの１キャリアポイントにて作業することができる。
【０００８】
既存技術によると、高度基地局と高度基地局の第１領域の隣接セルブロードキャストメッセージ（例えば、ＡＡＩ−ＮＢＲ−ＡＤＶ）は、隣接セルの高度基地局と隣接セルの高度基地局の第１領域のシステム情報のみをブロードキャストする。従って、高度基地局又は高度基地局の第１領域にて作業する高度端末は、高度基地局又は高度基地局の第１領域の隣接セルブロードキャストメッセージから直接隣接セルの既存基地局、隣接セルの高度基地局の第２領域のシステム情報を取得することができない。高度端末が、更に良好なサービスを取得するため、サービング高度基地局の第１領域から隣接セルの既存基地局にハンドオーバーしなければならない場合、又は隣接セルの高度基地局の第２領域にハンドオーバーしなければならない場合、ＡＭＳが隣接セルの既存基地局と隣接セルの高度基地局の第２領域のシステム情報を取得することができないので、サービング高度基地局の第１領域から隣接セルの高度基地局の第２領域又は隣接セルの既存基地局へのハンドオーバーを行うことができなくなる。
【発明の概要】
【発明が解決しようとする課題】
【０００９】
本発明は、関連技術に存在する高度端末がサービング高度基地局の第１領域から隣接セルの高度基地局の第２領域又は隣接セルの既存基地局にハンドオーバーすることができない問題に鑑みなされたもので、上記問題を解決できる隣接セルブロードキャストメッセージの取得方法及び改善されたハンドオーバー方案を提供することをその目的とする。
【課題を解決するための手段】
【００１０】
本発明の一態様によると、ハンドオーバー方法を提供する。
本発明に係るハンドオーバー方法は、サービング高度基地局の第１領域において作業する高度端末の場合、上記高度端末がサービング高度基地局から送信された上記サービング高度基地局の第２領域の隣接セルブロードキャストメッセージのコンテンツを取得し、上記高度端末が取得した上記隣接セルブロードキャストメッセージのコンテンツに基づいて隣接セルの高度基地局の第２領域又は隣接セルの既存基地局にハンドオーバーするステップを含む。
【００１１】
本発明の他の一態様によると、ハンドオーバーシステムを提供する。
本発明に係るハンドオーバーシステムは、高度基地局と高度端末とを含む。その中、高度基地局は、高度端末に上記隣接セルブロードキャストメッセージを上記高度基地局の第２領域にて受信するように指示するための指示情報又は上記高度基地局の第２領域の隣接セルブロードキャストメッセージを第１領域において高度端末に送信し、高度端末は上記高度基地局の第１領域において作業し、上記高度基地局が送信した指示情報又は上記隣接セルブロードキャストメッセージを受信して上記隣接セルブロードキャストメッセージのコンテンツを取得し、取得した隣接セルブロードキャストメッセージのコンテンツに基づいて隣接セルの高度基地局の第２領域又は隣接セルの既存基地局にハンドオーバーする。
【００１２】
本発明の他の一態様によると、サービング高度基地局の第１領域において作業する高度端末の場合、高度端末がサービング高度基地局により送信されたサービング高度基地局の第２領域の隣接セルブロードキャストメッセージのコンテンツを取得するステップを含む隣接セルブロードキャストメッセージの取得方法を提供する。
【発明の効果】
【００１３】
本発明の上記技術方案における少なくとも一つによると、高度端末はサービング高度基地局から送信される上記サービング高度基地局の第２領域の隣接セルブロードキャストメッセージのコンテンツを取得することによって、隣接セルの既存基地局と隣接セルの高度基地局の第２領域のシステム情報を取得して現在のサービング高度基地局の第１領域から隣接セルの既存基地局又は隣接セルの高度基地局の第２領域へのハンドオーバーを実現できる。
【００１４】
本発明の他の特徴及びメリットは明細書において説明し、明細書から更に明確になる、又は本発明を実施することによって把握できる。本発明の目的及び他のメリットは、明細書、特許請求の範囲、図面に特別に指摘された構造によって実現することができる。
【図面の簡単な説明】
【００１５】
ここで説明する図面は本発明を理解させるためのものであり、本発明の一部を構成し、本発明における実施例と共に本発明を解釈し、本発明を不当に限定するのではない。
【図１】図１は、本発明の実施例に係るハンドオーバー方法を示すフローチャートである。
【図２】図２は、実施例１に係わるフローチャートである。
【図３】図３は、実施例２に係わるフローチャートである。
【図４】図４は、実施例３に係わるフローチャートである。
【図５】図５は、実施例４に係わるフローチャートである。
【図６】図６は、実施例５に係わるフローチャートである。
【図７】図７は、実施例６に係わるフローチャートである
【図８】図８は、実施例７に係わるフローチャートである
【図９】図９は、本発明の実施例に係るハンドオーバーシステムの構造を示す図である。
【発明を実施するための形態】
【００１６】
既存技術において、高度基地局と高度基地局の第１領域の隣接セルブロードキャストメッセージは、隣接セルの高度基地局と隣接セルの高度基地局の第１領域のシステム情報のみをブロードキャストするので、高度基地局の第１領域にて作業する高度端末は、隣接セルブロードキャストメッセージから隣接セルの高度基地局の第２領域及び隣接セルの既存基地局のシステム情報を取得することができず、サービング高度基地局の第１領域から隣接セルの高度基地局の第２領域と隣接セルの既存基地局へのハンドオーバーを行うことができない。このような問題に鑑み、本発明の実施例によると、ハンドオーバー方法を提供する。本発明の実施例において、高度基地局の第１領域において作業する高度端末の場合、高度端末は、サービング高度基地局から送信される該サービング高度基地局の第２領域の隣接セルブロードキャストメッセージのコンテンツを取得し、取得した第２領域の隣接セルブロードキャストメッセージのコンテンツに基づいて現在のサービング高度基地局の第１領域から隣接セルの高度基地局の第２領域又は隣接セルの既存基地局にハンドオーバーする。
【００１７】
ここで、互いに矛盾しない限り、本発明に記載の実施例及び実施例に開示された特徴を互いに結合することができることは言うまでもない。
【００１８】
以下図面を結合して本発明の好適の実施例を説明するが、以下の好適の実施例は本発明を説明し解釈するためのものであって、本発明は、これらに限定されない。
【００１９】
本発明の実施例に係わる端末は、移動無線電話と、無線通信カードが実装されたノートパソコンと、パーソナルディジタルアシスタントなどを含むが、これらに限定されることはない。
【００２０】
本発明の実施例によると、先ず、サービング高度基地局の第１領域において作業する高度端末がその第１領域から隣接セルの既存基地局又は隣接セルの高度基地局の第２領域にハンドオーバーするハンドオーバー方法を提供する。
【００２１】
図１は、本発明の実施例に係るハンドオーバー方法を示すフローチャートであり、図１に示すように、サービング高度基地局の第１領域にて作業する高度端末の場合、本発明の実施例に係るハンドオーバー方法は、以下のステップ（ステップＳ１０１〜ステップＳ１０３）を含む。
【００２２】
高度端末は、サービング高度基地局から送信されたサービング高度基地局の第２領域の隣接セルブロードキャストメッセージの一部又は全部のコンテンツを取得する（ステップＳ１０１）。
【００２３】
高度端末は、取得した上記隣接セルブロードキャストメッセージの一部又は全部のコンテンツに基づいて、隣接セルの高度基地局の第２領域又は隣接セルの既存基地局にハンドオーバーする（ステップＳ１０３）。
【００２４】
本発明の実施例において、高度端末は、次のような二つの方式に従ってサービング高度基地局の第２領域の隣接セルブロードキャストメッセージの一部又は全部のコンテンツを取得することができる。
【００２５】
（１）サービング高度基地局がその第１領域において指示情報を高度端末に送信し、高度端末に上記隣接セルブロードキャストメッセージをサービング高度基地局の第２領域にて受信するように指示することができる。具体的には、上記指示情報は、サービング高度基地局の第１領域と第２領域間の時間オフセット量、第２領域のキャリア情報、第２領域のブリアンブルシーケンス情報の中の一つを含むが、これらに限定されることはない。該高度端末がマルチルートの端末である場合、上記指示情報は、更に、上記第２領域にて隣接セルブロードキャストメッセージを受信するに用いられるルートのキャリア情報を含むことができる。上記キャリア情報は、物理層周波数ポイント情報又は物理層キャリア番号又はロジックキャリア番号であることができる。高度端末は上記指示情報を受信した後、その指示情報の指示に従って、サービング高度基地局の第２領域において上記隣接セルブロードキャストメッセージを受信してサービング高度基地局の第２領域の隣接セルブロードキャストメッセージの一部又は全部のコンテンツを取得する。
【００２６】
（２）サービング高度基地局がその第１領域においてサービング高度基地局の第２領域の隣接セルブロードキャストメッセージの一部又は全部のコンテンツを送信し、高度端末がサービング高度基地局の第１領域において上記隣接セルブロードキャストメッセージの一部又は全部のコンテンツを受信する。
【００２７】
更に、本発明の実施例において、高度端末は、サービング高度基地局の第２領域の隣接セルブロードキャストメッセージの一部又は全部のコンテンツを取得した後、直接、隣接セルの高度基地局の第２領域又は隣接セルの既存基地局にハンドオーバーすることができる。また、高度端末が隣接セルの高度基地局の第２領域にハンドオーバーすると選択し、隣接セルの高度基地局の第２領域とサービング高度基地局の第１領域が異なるキャリアに位置すると、本発明の実施例において、高度端末は、先ずキャリア転換を行って、現在のキャリアからターゲット第２領域が位置されるキャリアの第１領域に転換した後、そのキャリアの第１領域からターゲット第２領域に転換することができる。
【００２８】
従って、本発明の実施例において４種類のハンドオーバー方法が存在し、以下該４種類の方法を説明する。
【００２９】
方法１
本方法において、サービング高度基地局は、その第１領域において高度端末に指示情報を送信し、高度端末は、該指示情報に基づいてサービング高度基地局の第２領域において該第２領域の隣接セルブロードキャストメッセージを受信してサービング高度基地局の第１領域から隣接セルの高度基地局の第２領域又は隣接セルの既存基地局へのハンドオーバーを実現する。具体的には、本方法において、高度端末のハンドオーバーは、次のステップを含む。
【００３０】
高度基地局は、その第１領域において指示情報を端末に送信し、端末は、該指示情報に基づいてサービング高度基地局の第２領域において該第２領域の隣接セルブロードキャストメッセージを受信する（ステップ１）。
【００３１】
具体的な実施中において、基地局が送信する上記指示情報をレンジング応答メッセージ、第１領域の隣接セルブロードキャストメッセージ（ＡＡＩ−ＮＢＲ−ＡＤＶ）、第１領域のスーパーフレームヘッダー、システム配置説明メッセージ（ＡＡＩ−ＳＣＤ）、付加的ブロードキャストメッセージ（Ａｄｄｉｔｉｏｎａｌ  ｂｒｏａｄｃａｓｔ  ｉｎｆｏｒｍａｔｉｏｎ  ｍｅｓｓａｇｅ）の中の一つにより携帯されることができる。
【００３２】
具体的には、上記指示情報は、サービング高度基地局の第１領域と第２領域間の時間オフセット量、サービング高度基地局の第２領域のキャリア情報、該第２領域のブリアンブルシーケンス情報の中の一つを含むが、これらに限定されない。
【００３３】
また、上記端末がマルチルートの端末であると、上記指示情報は、更に、該端末が上記第２領域において隣接セルブロードキャストメッセージを受信するに用いるルートのキャリア情報を含む。上記キャリア情報は、具体的には、物理層周波数ポイント情報、又は物理層キャリア番号、又はロジックキャリア番号であることができる。
【００３４】
具体的には、上記第２領域の隣接セルブロードキャストメッセージは、少なくとも、隣接セルの既存基地局のシステム情報、隣接セルの高度基地局の第２領域のシステム情報の中の一つを含み、その中、システム情報はキャリア周波数情報、ブリアンブルシーケンス情報などを含む。
【００３５】
端末が上記第２領域の隣接セルブロードキャストメッセージを成功に受信した後、サービング高度基地局は、第１領域において自発的にハンドオーバー命令メッセージを送信する（ステップ２）。
【００３６】
具体的な実施中において、サービング高度基地局は、端末からの要請メッセージを受信した場合、該要請メッセージに応答し、第１領域においてハンドオーバー命令メッセージを端末に送信することができる。その中、上記要請メッセージは、少なくとも、該端末がハンドオーバーしようとするターゲット既存基地局情報及び／又はターゲット高度基地局の第２領域情報を携帯する。
【００３７】
具体的には、サービング高度基地局が送信した上記ハンドオーバー命令メッセージは、少なくとも、サービング高度基地局が端末に推薦したターゲット既存基地局情報及び／又はターゲット高度基地局の第２領域情報、ネットワーク再接続中において端末がサービング基地局との接続を維持するかを指示する再接続モードマーク、端末がターゲット基地局においてネットワーク再接続を開始する具体的な時刻を指示する、推薦されたターゲット基地局における動作時間、当該ハンドオーバー命令メッセージで高度端末に推薦したターゲット基地局のタイプを指示するハンドオーバータイプマークの中の一つを含む。
【００３８】
端末は、ハンドオーバー命令を受信した後、サービング高度基地局にハンドオーバー指示メッセージを送信してハンドオーバーを開始することができる。
【００３９】
具体的には、上記ハンドオーバー指示メッセージは、少なくとも、ハンドオーバーを開始する動作コード、ハンドオーバーしようとするターゲット既存基地局情報又はターゲット高度基地局の第２領域情報の中の一つを含み、当該端末がマルチルートの端末である場合、ハンドオーバー指示メッセージは端末がハンドオーバーを行うルートのキャリア情報を更に含み、該キャリア情報は物理層周波数ポイント情報又は物理層キャリア番号又はロジックキャリア番号であることができる。
【００４０】
端末により送信される上記要請メッセージと、サービング高度基地局により送信されるハンドオーバー命令メッセージと、端末により送信される上記ハンドオーバー指示メッセージとを端末のメインキャリアにおいて送信することが好ましい。
【００４１】
端末がハンドオーバーを行うにおいて、ハンドオーバー命令メッセージにサービング高度基地局が推薦したターゲット基地局のハンドオーバータイプマークが携帯されていると、端末はハンドオーバータイプマークに基づいて推薦されたターゲット基地局がＡＢＳのみを具備するものであるか、それとも既存基地局又は隣接セルのＡＢＳのＬＺｏｎｅのみを具備するものであるかを判断することができる。ハンドオーバー命令メッセージに当該マークが携帯されていないと、推薦したターゲット基地局がＡＢＳを具備するものである可能があれば、既存基地局又は隣接セルのＡＢＳのＬＺｏｎｅを具備するものである可能性もあることを示す。
【００４２】
方法２
本方法において、サービング高度基地局の第１領域から隣接セルの高度基地局の第２領域にハンドオーバーする場合、上記第１領域と隣接セルの高度基地局の第２領域が異なるキャリアに位置すると、端末は、先ず現在の第１領域が位置するキャリアから隣接セルの高度基地局の第２領域が位置されたキャリアの第１領域にハンドオーバーした後、該キャリアの第１領域から第２領域に転換する。本方法において、端末がサービング高度基地局の第２領域の隣接セルブロードキャストメッセージを取得する方式は上記方法１に類似する。具体的には、以下のステップを経てハンドオーバーを行う。
【００４３】
サービング高度基地局は、その第１領域において指示情報を端末に送信し、端末は当該指示情報に基づいてサービング高度基地局の第２領域においてその第２領域の隣接セルブロードキャストメッセージを受信する（ステップ１）。
【００４４】
上記ステップの具体的な実施形態は上記方法１に類似するので、説明を省略する。
【００４５】
端末が上記第２領域の隣接セルブロードキャストメッセージを成功に受信した後、サービング高度基地局は、第１領域において自発的にハンドオーバー命令メッセージを送信し、又は端末からの要請メッセージに応答し、第１領域においてハンドオーバー命令メッセージを端末に送信する（ステップ２）。
【００４６】
具体的には、上記要請メッセージに携帯される情報は、少なくとも、端末がハンドオーバーしようとするターゲット高度基地局とターゲット高度基地局でのターゲットキャリア情報を含む。
【００４７】
具体的には、上記ハンドオーバー命令メッセージは、少なくとも、サービング高度基地局が推薦したターゲット高度基地局とターゲット高度基地局でのターゲットキャリア情報、ネットワークへの再接続中において端末がサービング高度基地局との接続を維持するかを指示する再接続モードマーク、端末が推薦されたターゲット基地局においてネットワーク再接続を開始する具体的な時刻を指示する推薦したターゲット基地局における動作時間、ハンドオーバー命令メッセージで推薦したターゲット基地局のタイプを指示するハンドオーバータイプマークの中の一つを含む。
【００４８】
端末は、ハンドオーバー命令メッセージを受信した後、サービング高度基地局にハンドオーバー指示メッセージを送信してターゲット高度基地局（隣接セルの高度基地局の中の一つ高度基地局）の第２領域（即ち、ターゲット第２領域）が位置されたキャリアへのハンドオーバーを開始することができる（ステップ３）。
【００４９】
具体的には、上記ハンドオーバー指示メッセージは、少なくとも、ハンドオーバーを開始する動作コード、ハンドオーバーしようとするターゲット高度基地局情報とターゲット高度基地局でのターゲットキャリア情報の中の一つを含み、また端末がマルチルートの端末である場合、ハンドオーバー指示メッセージは、端末のハンドオーバーに用いられるルートのキャリア情報を更に含み、その中、キャリア情報は物理層周波数ポイント情報又は物理層キャリア番号又はロジックキャリア番号であることができる。
【００５０】
端末により送信される上記要請メッセージと、サービング高度基地局により送信される上記ハンドオーバー命令メッセージと、端末により送信される上記ハンドオーバー指示メッセージとを端末のメインキャリアにおいて送信することが好ましい。
【００５１】
端末がサービング高度基地局の第１領域からターゲット高度基地局の第２領域が位置するキャリアにハンドオーバーするにおいて、上記ハンドオーバー命令メッセージに再接続モードマークが携帯されていると、端末は、再接続モードマークの値に基づいて、サービング基地局との通信を維持するか否かを判断することができる。
【００５２】
ターゲット高度基地局の第２領域が位置するキャリアにハンドオーバーした後、端末の新しいサービング高度基地局は、該キャリアの第１領域において自発的に端末にメッセージを送信し、又は当該新しいサービング高度基地局は、端末からの要請メッセージに応答し、第１領域において端末にメッセージを送信する（ステップ４）。
【００５３】
上記要請メッセージがレンジング要請メッセージ（ＡＡＩ−ＲＮＧ−ＲＥＱ）であることが好ましい。また当該要請メッセージに目的値が領域転換であるパラメータ項目を含んでもよく、含まなくてもよい。
【００５４】
具体的には、新しいサービング高度基地局が送信した上記メッセージが、ハンドオーバー命令メッセージ（ＡＡＩ−ＨＯ−ＣＭＤ）、レンジング応答メッセージ（ＡＡＩ−ＲＮＧ−ＲＳＰ）、専用の領域転換メッセージ（ＡＡＩ−ＺＳ−ＣＭＤ）、隣接セルブロードキャストメッセージ（ＡＡＩ−ＮＢＲ−ＡＤＶ）の中の一つであることができる。
【００５５】
また新しいサービング高度基地局が送信した上記メッセージは、少なくとも、新しいサービング高度基地局の第１領域と第２領域間の時間オフセット量、新しいサービング高度基地局の第２領域のブリアンブルシーケンス情報、新しいサービング高度基地局の第２領域の他のシステム情報、領域転換において端末が第１領域との通信を維持するか否かを指示する指示の中の一つを含む。また、端末がマルチルートの端末である場合、上記メッセージは端末の領域転換に用いられるルートのキャリア情報を更に含む。
【００５６】
端末は、受信した上記新しいサービング高度基地局がその第１領域において送信した上記メッセージに基づいて領域転換を行う（ステップ５）。
【００５７】
具体的には、領域転換において、新しいサービング高度基地局が送信した上記メッセージに領域転換において端末が第１領域との通信を維持するか否かを指示する指示が携帯されていると、端末は、該指示の値に基づいて第１領域との通信を維持するか否かを確定する。
【００５８】
また、新しいサービング高度基地局が送信した上記メッセージに領域転換において第１領域との通信を維持するか否かを指示する指示が含まれていないと、本発明の実施例において、端末は、第２領域でのネットワーク接続を行うと共に、第１領域との通信を維持しなければならない。
【００５９】
方法３
本方法において、サービング高度基地局は、その第１領域においてその第２領域の隣接セルブロードキャストメッセージを高度端末に送信し、高度端末は、その隣接セルブロードキャストメッセージに基づいてサービング高度基地局の第１領域から隣接セルの高度基地局の第２領域又は隣接セルの既存基地局へのハンドオーバーを行う。具体的には、本方法において高度端末のハンドオーバーは、以下のステップを含む。
【００６０】
サービング高度基地局は、その第１領域において本高度基地局の第２領域の隣接セルブロードキャストメッセージのコンテンツを端末に送信し、端末は、サービング高度基地局の第２領域の隣接セルブロードキャストメッセージのコンテンツを第１領域において受信する（ステップ１）。
【００６１】
具体的には、上記第２領域の隣接セルブロードキャストメッセージは、少なくとも、隣接セルの既存基地局のシステム情報、隣接セルの高度基地局の第２領域のシステム情報、例えば、隣接セルの既存基地局又は隣接セルの高度基地局の第２領域のキャリア周波数情報、ブリアンブルシーケンス情報の中の一つを含む。
【００６２】
具体的には、サービング高度基地局は、第１領域においてユニキャスト方式又はブロードキャスト方式で当該高度基地局の第２領域の隣接セルブロードキャストメッセージのコンテンツを送信する。
【００６３】
ブロードキャスト方式で送信する場合、具体的には、第１領域の隣接セルブロードキャストメッセージ（即ち、ＡＡＩ−ＮＢＲ−ＡＤＶ）、第１領域のスーパーフレームヘッダー、システム配置説明メッセージ（ＡＡＩ−ＳＣＤ  ｍｅｓｓａｇｅ）、付加的なブロードキャストメッセージ（Ａｄｄｉｔｉｏｎａｌ  ｂｒｏａｄｃａｓｔ  ｉｎｆｏｒｍａｔｉｏｎ  ｍｅｓｓａｇｅ）に第２領域の隣接セルブロードキャストメッセージ（即ち、ＭＯＢ−ＮＢＲ−ＡＤＶ）の一部又は全部のコンテンツを携帯することができる。
【００６４】
第１領域のスーパーフレームヘッダーに上記隣接セルブロードキャストメッセージのコンテンツを携帯すると、該隣接セルブロードキャストメッセージのコンテンツを単独のスーパーフレームヘッダー情報エレメントサブパケット（ＳＦＨ  ＳＰ  ＩＥ）として送信することができ、隣接セルブロードキャストメッセージのコンテンツを他のサブパケットと共同にサブパケットを形成して送信することもできる。
【００６５】
高度端末は第２領域の隣接セルブロードキャストメッセージを成功に取得した後、該隣接セルブロードキャストメッセージのコンテンツに基づいてサービング高度基地局の第１領域から隣接セルの既存基地局又は隣接セルの高度基地局の第２領域へのハンドオーバーを行う（ステップ２、ステップ３）。具体的なハンドオーバープロセスは、上記方法１のステップ２とステップ３に類似するので、説明を省略する。
【００６６】
方法４
本方法は、サービング高度基地局の第１領域から隣接セルの高度基地局の第２領域にハンドオーバーし、サービング高度基地局の第１領域と隣接セルの高度基地局の第２領域が異なるキャリアに位置する状況に適用する。具体的には、本方法において、高度端末は、上記方法３に従ってサービング高度基地局の第２領域の隣接セルブロードキャストメッセージのコンテンツを取得した後、上記方法２に従って隣接セルの高度基地局の第２領域にハンドオーバーする、即ち、先ずターゲット第２領域のキャリアにハンドオーバーした後、ターゲット第２領域のキャリアの第１領域から第２領域にハンドオーバーする。具体的なプロセスの説明は省略する。
【００６７】
本発明の実施例に提供される上記ハンドオーバー方案を更に理解させるため、以下具体的な実施例を介して説明する。
【００６８】
以下の実施例において、マルチルートの高度端末を例に本発明の上記方法を説明するが、ここで説明する方法が単一ルートの端末とマルチルートの端末に適用できることはいうまでもない。単一ルートの高度端末の領域ハンドオーバー方法とマルチルートの高度端末の領域ハンドオーバー方法の区別は、単一ルートの端末と基地局は領域転換を行うルートのキャリアを協議する必要がなく、即ち、端末は、唯一のルートを用いて領域転換を行うが、マルチルートの端末は、現在のメインキャリア又は高度基地局と通信を維持している他のルートのキャリア又は現在端末が利用していない空きルートのキャリアを用いて領域転換を行うことができることである。
【００６９】
以下の実施例のフローチャートにおいて、点線で示すメッセージは、選択可能のメッセージ、即ち、送信することも送信しないことも可能であるメッセージを示す。
【００７０】
実施例１
本実施例において、上記方法１に従って高度端末のハンドオーバーを行う。
【００７１】
図２は、本実施例のフローチャートであり、図２に示すように、本実施例において高度端末の、サービング高度基地局の第１領域から隣接セルの既存基地局又は隣接セルの高度基地局の第２領域へのハンドオーバーは以下のステップを含む。
【００７２】
サービング高度基地局は、自発的にＡＡＩ−ＲＮＧ−ＲＳＰメッセージを高度端末に送信し、高度端末に第２領域においてＭＯＢ＿ＮＢＲ−ＡＤＶメッセージを受信ように指示する（ステップ２０１）。その中、ＡＡＩ−ＲＮＧ−ＲＳＰメッセージは、少なくとも、サービング高度基地局の第１領域と第２領域間の時間オフセット量、該第２領域のキャリア情報とブリアンブルシーケンス情報、端末が第２領域において隣接セルブロードキャストメッセージを受信するに用いるルートのキャリア情報の中の一つを含む。ＭＯＢ＿ＮＢＲ−ＡＤＶメッセージは、隣接セルの既存基地局と隣接セルの高度基地局の第２領域のシステム情報、例えば、キャリア周波数情報、ブリアンブルシーケンス情報を含む。
【００７３】
受信されたＭＯＢ＿ＮＢＲ−ＡＤＶメッセージに基づいて、端末が開始したハンドオーバーである場合、高度端末は、第１領域内の端末のメインキャリアにおいてＡＡＩ−ＨＯ−ＲＥＱ要請メッセージを送信してハンドオーバーの開始を要請する（ステップ２０３）。その中、該ＡＡＩ−ＨＯ−ＲＥＱメッセージは、少なくとも、ハンドオーバーしようとするターゲット既存基地局情報及び／又はターゲット高度基地局の第２領域情報を含む。
【００７４】
サービング高度基地局は、高度端末の上記要請に応答して第１領域内の端末のメインキャリアにおいてＡＡＩ−ＨＯ−ＣＭＤメッセージを送信する（ステップ２０５）。
【００７５】
その中、上記ＡＡＩ−ＨＯ−ＣＭＤメッセージは、少なくとも、端末に推薦するターゲット既存基地局情報及び／又はターゲット高度基地局の第２領域情報、ネットワーク再接続中において端末がサービング基地局との接続を維持するか否かを指示する再接続モードマーク、端末がネットワーク再接続を開始する具体的な時刻を指示する推薦したターゲット基地局における動作時間、ハンドオーバー命令メッセージで端末に推薦したターゲット基地局のタイプを指示するハンドオーバータイプマークの中の一つを含む。
【００７６】
具体的には、本実施例において、ＡＡＩ−ＨＯ−ＣＭＤメッセージに含まれるパラメータ例は表１に示す通りである。
【００７７】
【表１】
2013502112.tif 000003
2013502112.tif 000004
【００７８】
本実施例において、ＡＡＩ−ＨＯ−ＣＭＤメッセージに含まれるパラメータ例は、以下の表２に示す通りである。
【表２】
2013502112.tif 000005
2013502112.tif 000006
【００７９】
高度端末は、ＡＡＩ−ＨＯ−ＣＭＤメッセージを受信した後、第１領域内の端末のメインキャリアにおいてサービング高度基地局にハンドオーバー指示メッセージ（ＡＡＩ−ＨＯ−ＩＮＤ）を送信してハンドオーバーを開始することができる（ステップ２０７）。
【００８０】
その中、ＡＡＩ−ＨＯ−ＩＮＤメッセージは、少なくとも、ハンドオーバーを開始する動作コード、ハンドオーバーしようとするターゲット既存基地局情報又はターゲット高度基地局の第２領域情報、端末のハンドオーバーに用いられるルートのキャリア情報の中の一つを含み、その中、上記キャリア情報は、物理層周波数ポイント情報又は物理層キャリア番号又はロジックキャリア番号であることができる。
【００８１】
高度端末は、サービング高度基地局が指示したルートを用いて、動作時間になるとターゲット既存基地局又はターゲット高度基地局の第２領域へのハンドオーバーを開始し、ネットワーク再接続を行う（ステップ２０９）。ハンドオーバーにおいて、該マルチルートの端末は再接続モードの値に基づいてサービング基地局との通信を維持するか否かを確定する。
【００８２】
実施例２
本実施例において、上記方法１に従ってハンドオーバーを行い、サービング高度基地局は、第１領域のスーパーフレームヘッダーにおいて指示情報を送信する。
【００８３】
図３は、本実施例のフローチャートであり、図３に示すように、本実施例における高度端末のハンドオーバーは、以下のステップを含む。
【００８４】
サービング高度基地局は、その第１領域のスーパーフレームヘッダー（ＳＦＨ）で端末に第２領域においてＭＯＢ＿ＮＢＲ−ＡＤＶメッセージを受信するように指示する（ステップ３０１）。
【００８５】
その中、該第１領域のスーパーフレームヘッダーは、少なくとも、サービング高度基地局の第１領域と第２領域間の時間オフセット量、第２領域のキャリア情報とブリアンブルシーケンス情報、端末が第２領域において隣接セルブロードキャストメッセージを受信するに用いるルートのキャリア情報の中の一つを含む。またＭＯＢ＿ＮＢＲ−ＡＤＶメッセージは、隣接セルの既存基地局のシステム情報及び／又は隣接セルの高度基地局の第２領域のシステム情報を含む。
【００８６】
高度基地局は、第１領域内の端末のメインキャリアにおいてＡＡＩ−ＨＯ−ＣＭＤメッセージを送信する（ステップ３０３）。
【００８７】
具体的には、該ＡＡＩ−ＨＯ−ＣＭＤメッセージは、少なくとも、端末に推薦したターゲット既存基地局情報及び／又はターゲット高度基地局の第２領域情報、再接続モードマーク、推薦したターゲット基地局における動作時間、ハンドオーバー命令メッセージにおいて端末に推薦したターゲット基地局のタイプを指示するハンドオーバータイプマークの中の一つを含む。
【００８８】
ＡＡＩ−ＨＯ−ＣＭＤメッセージを受信した後、端末は、第１領域内の端末のメインキャリアにおいてサービング高度基地局にハンドオーバー指示メッセージ（ＡＡＩ−ＨＯ−ＩＮＤ）を送信してハンドオーバーを開始することができる（ステップ３０５）。
【００８９】
その中、ＡＡＩ−ＨＯ−ＩＮＤメッセージは、少なくとも、ハンドオーバーを開始する動作コード、ハンドオーバーしようとするターゲット既存基地局情報又はターゲット高度基地局の第２領域情報、端末がハンドオーバーを行うルートのキャリア情報の中の一つを含み、上記キャリア情報は、物理層周波数ポイント情報又は物理層キャリア番号又はロジックキャリア番号であることができる。
【００９０】
高度端末は、サービング高度基地局が指示したルートを用いて、動作時間になるとターゲット既存基地局又はターゲット高度基地局の第２領域へのハンドオーバーを開始する（ステップ３０７）。領域転換において、該マルチルートの端末は、再接続モードの値に基づいてサービング基地局との通信を維持するか否かを確定する。
【００９１】
実施例３
本実施例において上記方法１に従ってハンドオーバーを行うが、その中、指示情報は、サービング高度基地局の第１領域の隣接セルブロードキャストメッセージ（ＡＡＩ−ＮＢＲ−ＡＤＶ）に携帯される。
【００９２】
図４は本実施例のフローチャートであり、図４に示すように、本実施例における高度端末のハンドオーバーは、以下のステップを含む。
【００９３】
サービング高度基地局は、その第１領域の隣接セルブロードキャストメッセージ（ＡＡＩ−ＮＢＲ−ＡＤＶ）で、端末に第２領域においてＭＯＢ＿ＮＢＲ−ＡＤＶメッセージを受信ように指示する（ステップ４０１）。
【００９４】
その中、上記第１領域の隣接セルブロードキャストメッセージは、少なくとも、サービング高度基地局の第１領域と第２領域間の時間オフセット量、第２領域のキャリア情報とブリアンブルシーケンス情報、端末が第２領域において隣接セルブロードキャストメッセージを受信するに用いるルートのキャリア情報の中の一つを含む。ＭＯＢ＿ＮＢＲ−ＡＤＶメッセージは隣接セルの既存基地局のシステム情報及び／又は隣接セルの高度基地局の第２領域のシステム情報を含む。
【００９５】
高度基地局は、第１領域内の端末のメインキャリアにおいてＡＡＩ−ＨＯ−ＣＭＤメッセージを送信し（ステップ４０３）、該ＡＡＩ−ＨＯ−ＣＭＤメッセージは、少なくとも、端末に推薦したターゲット既存基地局情報及び／又はターゲット高度基地局の第２領域情報、再接続モードマーク、推薦したターゲット基地局における動作時間、ハンドオーバータイプマークの中の一つを含む。
【００９６】
高度端末は、ＡＡＩ−ＨＯ−ＣＭＤメッセージを受信した後、第１領域内の端末のメインキャリアにおいてサービング高度基地局にハンドオーバー指示メッセージ（ＡＡＩ−ＨＯ−ＩＮＤ）を送信してハンドオーバーを開始する（ステップ４０５）。
【００９７】
その中、ＡＡＩ−ＨＯ−ＩＮＤメッセージは、少なくとも、ハンドオーバーを開始する動作コード、ハンドオーバーしようとするターゲット既存基地局情報又はターゲット高度基地局の第２領域情報、端末がハンドオーバーを行うルートのキャリア情報の中の一つを含み、その中、キャリア情報は、物理層周波数ポイント情報又は物理層キャリア番号又はロジックキャリア番号であることができる。
【００９８】
高度端末は、サービング高度基地局が指示したルートを用いて、動作時間になるとターゲット既存基地局又はターゲット高度基地局の第２領域へのハンドオーバーを開始する（ステップ４０７）。領域転換において、上記マルチルートの端末は再接続モードの値に基づいてサービング基地局との通信を維持するか否かを確定する。
【００９９】
実施例４
本実施例において上記方法２に従って高度端末がサービング高度基地局の第１領域から隣接セルの高度基地局の第２領域にハンドオーバーし、ハンドオーバーした隣接セルの高度基地局（ターゲット基地局）の第２領域（ターゲット第２領域）とサービング高度基地局の第１領域が異なるキャリアに位置する。
【０１００】
図５は、本実施例のフローチャートであり、図５に示すように、本実施例における高度端末のハンドオーバーは、以下のステップを含む。
【０１０１】
サービング高度基地局は、自発的にＡＡＩ−ＮＢＲ−ＡＤＶメッセージを高度端末に送信し、高度端末に第２領域においてＭＯＢ＿ＮＢＲ−ＡＤＶメッセージを受信するように指示する（ステップ５０１）。その中、ＡＡＩ−ＮＢＲ−ＡＤＶメッセージは、少なくとも、サービング高度基地局の第１領域と第２領域間の時間オフセット量、その第２領域のキャリア情報とブリアンブルシーケンス情報、端末が第２領域において隣接セルブロードキャストメッセージを受信するに用いるルートのキャリア情報の中の一つを含む。ＭＯＢ＿ＮＢＲ−ＡＤＶメッセージは、隣接セルの既存基地局と隣接セルの高度基地局の第２領域のシステム情報、例えば、キャリア周波数情報、ブリアンブルシーケンス情報を含む。
【０１０２】
サービング高度基地局は、第１領域内の端末のメインキャリアにおいてハンドオーバー命令メッセージを送信する（ステップ５０３）。上記ハンドオーバー命令メッセージは、少なくとも、サービング高度基地局が推薦したターゲット高度基地局とターゲット高度基地局でのターゲットキャリア情報、再接続モードマーク、推薦したターゲット基地局における動作時間、ハンドオーバータイプマークの中の一つを含む。
【０１０３】
高度端末は、サービング高度基地局にハンドオーバー指示メッセージを送信し、ハンドオーバーを開始することができる（ステップ５０５）。
【０１０４】
具体的には、上記ハンドオーバー指示メッセージは、少なくとも、ハンドオーバーを開始する動作コード、ハンドオーバーしようとするターゲット高度基地局情報とターゲット高度基地局でのターゲットキャリア情報、端末がハンドオーバーを行うルートのキャリア情報の中の一つを含み、その中、キャリア情報は、物理層周波数ポイント情報又は物理層キャリア番号又はロジックキャリア番号であることができる。
【０１０５】
高度端末は、指定されたルートを用い、動作時間になるとターゲット高度基地局の第２領域が位置されたキャリアへのハンドオーバーを開始し、端末がサービング高度基地局の第１領域からターゲット高度基地局の第２領域が位置するキャリアにハンドオーバーするにおいて、端末は、再接続モードマークの値に基づいてサービング基地局との通信を維持するか否かを確定することができる（ステップ５０７）。
【０１０６】
ターゲット高度基地局の第２領域が位置するキャリアにハンドオーバーした後、端末の新しいサービング高度基地局は、該キャリアの第１領域において自発的に端末に領域転換命令メッセージ（ＡＡＩ−ＺＳ−ＣＭＤ）を送信する（テップ５０９）。
【０１０７】
ここで、具体的な実施中において、新しいサービング高度基地局は、他のメッセージ、例えば、ハンドオーバー命令メッセージ（ＡＡＩ−ＨＯ−ＣＭＤ）、レンジング応答メッセージ（ＡＡＩ−ＲＮＧ−ＲＳＰ）、隣接セルブロードキャストメッセージ（ＡＡＩ−ＮＢＲ−ＡＤＶ）を送信し、第１領域から第２領域へのハンドオーバーを行うすることもできる。
【０１０８】
また、上記領域転換命令メッセージは、少なくとも、新しいサービング高度基地局の第１領域と第２領域間の時間オフセット量、新しいサービング高度基地局の第２領域のブリアンブルシーケンス情報、新しいサービング高度基地局の第２領域の他のシステム情報、領域転換において端末が第１領域との通信を維持するか否かを指示する指示、端末が領域転換を行うルートのキャリア情報の中の一つを含む。
【０１０９】
端末は指定されたルートを用いて領域転換を行い、新しいサービング高度基地局の第２領域に転換し、領域転換において、高度端末は、端末が第１領域との通信を維持するか否かを指示する指示の値に基づいて第１領域との通信を維持するか否かを確定する（ステップ５１１）。
【０１１０】
実施例５
本実施例において上記方法３に従ってハンドオーバーを行う。
【０１１１】
図６は、本実施例のフローチャートであり、図６に示すように、本実施例における端末のハンドオーバーは、以下のステップを含む。
【０１１２】
端末は、サービング高度基地局の第１領域内の端末のメインキャリアにおいて、サービング基地局がユニキャスト方式でその高度基地局の第２領域において送信した隣接セルブロードキャストメッセージコンテンツを受信する（ステップ６０１）。その中、上記隣接セルブロードキャストメッセージコンテンツは、隣接セルの既存基地局のシステム及び／又は隣接セルの高度基地局の第２領域のシステム情報、例えば、キャリア周波数、ブリアンブルシーケンスなどの情報を含む。
【０１１３】
端末は、受信した上記隣接セルブロードキャストメッセージコンテンツに基づいて、第１領域内の端末のメインキャリアにおいて要請メッセージ（ＡＡＩ−ＨＯ−ＲＥＱ）を送信し、ハンドオーバーの開始を要請することができる（ステップ６０３）。ＡＡＩ−ＨＯ−ＲＥＱメッセージは、少なくとも、ハンドオーバーしようとするターゲット既存基地局情報及び／又はターゲット高度基地局の第２領域情報の中の一つを含む。
【０１１４】
サービング高度基地局は、端末の要請に応答して第１領域内の端末のメインキャリアにおいてＡＡＩ−ＨＯ−ＣＭＤメッセージを送信する（ステップ６０５）。ＡＡＩ−ＨＯ−ＣＭＤメッセージは、少なくとも、端末に推薦したターゲット既存基地局情報及び／又はターゲット高度基地局の第２領域情報、ネットワーク再接続中においてサービング基地局との接続を維持するか否かを指示する再接続モードマーク、端末がネットワーク再接続を開始する具体的な時刻を指示する推薦したターゲット基地局における動作時間、ハンドオーバータイプマークの中の一つを含む。
【０１１５】
端末は、第１領域内の端末のメインキャリアにおいて、サービング高度基地局にハンドオーバー指示メッセージ（ＡＡＩ−ＨＯ−ＩＮＤ）を送信してハンドオーバーを開始する（ステップ６０７）。ＡＡＩ−ＨＯ−ＩＮＤメッセージは、少なくとも、ハンドオーバーを開始する動作コード、ハンドオーバーしようとするターゲット既存基地局情報又はターゲット高度基地局の第２領域情報、端末がハンドオーバーを行うルートのキャリア情報の中の一つを含み、該キャリア情報は物理層周波数ポイント情報又は物理層キャリア番号又はロジックキャリア番号であることができる。
【０１１６】
高度端末は、サービング高度基地局が指示したルートを用いて、動作時間になるとターゲット既存基地局又はターゲット高度基地局の第２領域へのハンドオーバーを開始する（ステップ６０９）。領域転換において、マルチルートの端末は再接続モードの値に基づいてサービング基地局との通信を維持するか否かを確定する。
【０１１７】
実施例６
本実施例において上記方法３に従ってハンドオーバーを行う。
【０１１８】
図７は、本実施例のフローチャートであり、図７に示すように、本実施例における高度端末のハンドオーバーは、以下のステップを含む。
【０１１９】
端末は、サービング高度基地局の第１領域内の端末のメインキャリアにおいて、サービング高度基地局が本高度基地局の第２領域において送信した隣接セルブロードキャストメッセージコンテンツを受信する（ステップ７０１）。上記隣接セルブロードキャストメッセージコンテンツは、隣接セルの既存基地局のシステム情報及び／又は隣接セルの高度基地局の第２領域のシステム情報、例えば、キャリア周波数、ブリアンブルシーケンスなどの情報を含む。サービング高度基地局は、上記メッセージコンテンツを第１領域の隣接セルブロードキャストメッセージに携帯してブロードキャスト方式で送信する。
【０１２０】
端末は、受信した上記隣接セルブロードキャストメッセージコンテンツに基づいて、第１領域内の端末のメインキャリアにおいて要請メッセージ（ＡＡＩ−ＨＯ−ＲＥＱ）を送信してハンドオーバーの開始を要請することができる（ステップ７０３）。ＡＡＩ−ＨＯ−ＲＥＱメッセージは、少なくとも、ハンドオーバーしようとするターゲット既存基地局情報及び／又はターゲット高度基地局の第２領域情報の中の一つを含む。
【０１２１】
サービング高度基地局は、端末の要請に応答し第１領域内の端末のメインキャリアにおいてＡＡＩ−ＨＯ−ＣＭＤメッセージを送信する（ステップ７０５）。該ＡＡＩ−ＨＯ−ＣＭＤメッセージは、少なくとも、端末に推薦したターゲット既存基地局情報及び／又はターゲット高度基地局の第２領域情報、再接続モードマーク、推薦したターゲット基地局における動作時間、ハンドオーバータイプマークの中の一つを含む。
【０１２２】
端末は第１領域内の端末のメインキャリアにおいてサービング高度基地局にハンドオーバー指示メッセージ（ＡＡＩ−ＨＯ−ＩＮＤ）を送信してハンドオーバーを開始することができる（ステップ７０７）。
【０１２３】
その中、ＡＡＩ−ＨＯ−ＩＮＤメッセージは、少なくとも、ハンドオーバーを開始する動作コード、ハンドオーバーしようとするターゲット既存基地局情報又はターゲット高度基地局の第２領域情報、端末がハンドオーバーを行うルートのキャリア情報の中の一つを含み、キャリア情報は、物理層周波数ポイント情報又は物理層キャリア番号又はロジックキャリア番号であることができる。
【０１２４】
高度端末は、サービング高度基地局が指示したルートを用い、動作時間になるとターゲット既存基地局又はターゲット高度基地局の第２領域へのハンドオーバーを開始する（ステップ７０９）。ハンドオーバーにおいて、該マルチルートの端末は、再接続モードの値に基づいてサービング基地局との通信を維持するか否かを確定する。
【０１２５】
実施例７
本実施例において上記方法３に従ってハンドオーバーを行う。
【０１２６】
図８は、本実施例のフローチャートであり、図８に示すように、本実施例における端末のハンドオーバーは、以下のステップを含む。
【０１２７】
端末は、サービング高度基地局の第１領域内の端末のメインキャリアにおいて、サービング高度基地局が当該高度基地局の第２領域において送信した隣接セルブロードキャストメッセージコンテンツを受信する（ステップ８０１）。その中、隣接セルブロードキャストメッセージコンテンツは、隣接セルの既存基地局のシステム情報と隣接セルの高度基地局の第２領域のシステム情報、例えば、キャリア周波数、ブリアンブルシーケンスなどの情報を含む。サービング基地局はメッセージコンテンツを付加的なブロードキャストメッセージ（Ａｄｄｉｔｉｏｎａｌ  ｂｒｏａｄｃａｓｔ  ｉｎｆｏｒｍａｔｉｏｎ  ｍｅｓｓａｇｅ）に携帯し、ブロードキャスト方式で送信する。パラメータ例は表４に示す通りである。
【表３】
2013502112.tif 000007
【０１２８】
端末は、受信した上記メッセージに基づいて第１領域内の端末のメインキャリアにおいて要請メッセージ（ＡＡＩ−ＨＯ−ＲＥＱ）を送信し、ハンドオーバーの開始を要請する（ステップ８０３）。ＡＡＩ−ＨＯ−ＲＥＱメッセージは、少なくとも、ハンドオーバーしようとするターゲット既存基地局情報及び／又はターゲット高度基地局の第２領域情報を含む。
【０１２９】
サービング高度基地局は、端末の要請に応答し、第１領域内の端末のメインキャリアにおいてＡＡＩ−ＨＯ−ＣＭＤメッセージを送信する（ステップ８０５）。該メッセージは、少なくとも、端末に推薦したターゲット既存基地局情報及び／又はターゲット高度基地局の第２領域情報、再接続モードマーク、推薦したターゲット基地局における動作時間、ハンドオーバータイプマークの中の一つを含む。
【０１３０】
端末は、第１領域内の端末のメインキャリアにおいてサービング高度基地局にハンドオーバー指示メッセージ（ＡＡＩ−ＨＯ−ＩＮＤ）を送信し、ハンドオーバーを開始する（ステップ８０７）。その中、ＡＡＩ−ＨＯ−ＩＮＤメッセージは、少なくとも、ハンドオーバーを開始する動作コード、ハンドオーバーしようとするターゲット既存基地局情報又はターゲット高度基地局の第２領域情報、端末がハンドオーバーを行うルートのキャリア情報の中の一つを含む。
【０１３１】
高度端末は、サービング高度基地局が指示したルートを用い、動作時間になるとターゲット既存基地局又はターゲット高度基地局の第２領域へのハンドオーバーを開始する（ステップ８０９）。ハンドオーバーにおいて、マルチルートの端末は、再接続モードの値に基づいてサービング基地局との通信を維持するか否かを確定する。
【０１３２】
本発明の実施例によると、ハンドオーバーシステムを提供する。
図９は、本発明の実施例に係るハンドオーバーシステムの構造を示す図であり、図９に示すように、本発明の実施例に係るハンドオーバーシステムは、高度基地局１と、高度端末３とを含む。その中、高度基地局１は、高度端末３のサービング基地局であって、その第１領域において指示情報又は高度基地局１の第２領域の隣接セルブロードキャストメッセージを高度端末３に送信する。その中、指示情報は、高度端末３に高度基地局１の第２領域において上記隣接セルブロードキャストメッセージを受信するように指示するためのものである。高度端末３は、高度基地局１の第１領域にて作業し、高度基地局１から送信された指示情報又は上記隣接セルブロードキャストメッセージを受信し、上記隣接セルブロードキャストメッセージのコンテンツを取得し、取得した上記隣接セルブロードキャストメッセージのコンテンツに基づいて隣接セルの高度基地局の第２領域又は隣接セルの既存基地局にハンドオーバーする。
【０１３３】
上述のように、本発明の実施例に提供される方案によると、高度端末は、サービング高度基地局が送信したそのサービング高度基地局の第２領域の隣接セルブロードキャストメッセージのコンテンツを取得することによって、隣接セルの既存基地局と隣接セルの高度基地局の第２領域のシステム情報を取得し、現在のサービング高度基地局の第１領域から隣接セルの既存基地局又は隣接セルの高度基地局の第２領域へのハンドオーバーを実現する。
【０１３４】
上述した内容は、本発明の好適な実施例に過ぎず、本発明を限定するものではない。当業者であれば、本発明に様々な変更や変形を与えることが可能である。本発明の精神や原則内で行う如何なる修正、同等置換、改良などは本発明の保護範囲内に含まれる。
【図１】
2013502112.tif 000008
【図２】
2013502112.tif 000009
【図３】
2013502112.tif 000010
【図４】
2013502112.tif 000011
【図５】
2013502112.tif 000012
【図６】
2013502112.tif 000013
【図７】
2013502112.tif 000014
【図８】
2013502112.tif 000015
【図９】
2013502112.tif 000016
【国際調査報告】
2013502112.tif 000017
2013502112.tif 000018
2013502112.tif 000019
2013502112.tif 000020